(57)【特許請求の範囲】
【請求項１】
遮断周波数を有する非放射性誘電体伝送線路と、この非放射性誘電体伝送線路の先端に設けられたモードサプレッサと、帯域阻止フィルタまたは高域フィルタと、複数の共振器から成る多段共振器と、上記複数の共振器を互いに隔てている遮断線路とを備え、
上記多段共振器を成す複数の共振器を、ＥＨ１１δモードを共振モードとする共振器としたことを特徴とする帯域フィルタ装置。
【請求項２】
請求項１に記載の帯域フィルタ装置において、
上記帯域阻止フィルタまたは高域フィルタは、上記伝送線路に対して縦続接続されていることを特徴とする帯域フィルタ装置。
【請求項３】
請求項１に記載の帯域フィルタ装置において、
上記帯域阻止フィルタまたは高域フィルタを構成する共振器が、セラミックで作製されていることを特徴とする帯域フィルタ装置。
【請求項４】
請求項３に記載の帯域フィルタ装置において、
上記帯域阻止フィルタまたは高域フィルタを構成する共振器は、ＥＨモードを、共振モードとしたことを特徴とする帯域フィルタ装置。
【請求項５】
請求項１に記載の帯域フィルタ装置において、
この帯域フィルタの共振周波数よりも低域側に表れる不要共振周波数ffc'が、上記伝送線路の遮断周波数ｆcよりも低く設定されていることを特徴とする帯域フィルタ装置。
【請求項６】
請求項１に記載の帯域フィルタ装置において、
この帯域フィルタの共振周波数よりも低域側に表れる不要共振周波数ffc'が、上記伝送線路の遮断周波数ｆcよりも低く設定されていて、
光速をｃ0とし、上記伝送線路を形成する誘電体材料の比誘電率をεｒとすると、上記伝送線路の高さａと幅ｂとが、次の(１)式の関係を有することを特徴とする帯域フィルタ装置。
0003954770.tif 000005
【請求項７】
単一または複数の映像信号に対し、請求項１に記載の帯域フィルタ装置と、上記映像信号をアップコンバートする手段とを備えることを特徴とする送信装置。
【請求項８】
単一または複数の映像信号に対し、請求項１に記載の帯域フィルタ装置と、上記映像信号をアップコンバートする手段とを備えることを特徴とする送受信装置。
【発明の詳細な説明】
【０００１】
【発明の属する技術分野】
この発明は、扱う周波数が３ＧＨzからおよそ３００ＧＨzにおよぶマイクロ波,ミリ波と呼ばれる超高周波帯に好適な平面型帯域フィルタ装置、およびその帯域フィルタ装置を用いた送信装置ならびに送受信装置に関する。
【０００２】
【従来の技術】
従来、超高周波帯で動作する帯域フィルタ装置としては、実開平１−１２６７０９号公報に開示されているものや、１９８５年電気通信学会マイクロ波研究会資料(ＭＷ８５−６６)に報告されているものがある。
【０００３】
前者の帯域フィルタ装置は、誘電体を導体壁で包囲して形成したＴＥモードもしくはＴＭモード用の共振器において、導体壁を高温超伝導体で形成したものである。これにより、エネルギー損失が無く、理想的なＱ値が得られる。その結果、バンドパスフィルタなどの電子部品の特性を向上するものである。
【０００４】
また、後者の帯域フィルタ装置は、５０ＧＨｚのミリ波帯でセラミック共振器を用いて超高周波帯フィルタを形成したもので、超高周波帯フィルタを小型化,低損失化することができる。
【０００５】
【発明が解決しようとする課題】
しかしながら、前者の帯域フィルタ装置のように、セラミック共振器の共振モードとして、ＴＥ0nδモードやＴＭモードを利用したものでは、フィルタの帯域を数ＧＨｚまで広げることが困難であるという問題がある。さらには、周波数がミリ波帯に近づくほどセラミック共振器への電磁界の集中度が高くなるので、この傾向が顕著になる。
【０００６】
また、後者の帯域フィルタ装置のように、単に、セラミック共振器を数個並べただけでは、共振器の不要モードや遮断周波数近傍の不要波を除去することが困難になる。
【０００７】
このように、上記従来の帯域フィルタ装置では、共振器の不要モードや、遮断周波数近傍の不要波を除去し、かつ、セラミック共振器を利用したミリ波帯フィルタではあるものの、その通過帯域を数ＧＨｚの広帯域に設定することができないという問題がある。
【０００８】
そこで、この発明の目的は、共振器の不要モードや遮断周波数近傍の不要波を除去し、その通過帯域を数ＧＨｚの広帯域にまで設定できる帯域フィルタ装置を提供することにある。さらに、この帯域フィルタ装置を使用した小型で超高周波帯の高性能の送信装置ならびに送受信装置を提供することにある。
【０００９】
【課題を解決するための手段】
上記目的を達成するため、この発明の帯域フィルタ装置は、遮断周波数を有する非放射性誘電体伝送線路と、この非放射性誘電体伝送線路の先端に設けられたモードサプレッサと、帯域阻止フィルタまたは高域フィルタと、複数の共振器から成る多段共振器と、上記複数の共振器を互いに隔てている遮断線路とを備え、
上記多段共振器を成す複数の共振器を、ＥＨ１１δモードを共振モードとする共振器としたことを特徴としている。
【００１０】
この発明では、上記伝送線路の遮断周波数と、上記帯域阻止フィルタまたは高域フィルタの特性との相互関係を、上記遮断線路を用いて調整することができる。その結果、上記帯域阻止フィルタや高域フィルタを構成する共振器の不要モードや遮断周波数近傍の不要波を除去することができ、その通過帯域を数ＧＨｚの広帯域にまで設定できる。
【００１１】
また、一実施形態の帯域フィルタ装置は、上記帯域阻止フィルタまたは高域フィルタは、上記伝送線路に対して縦続接続されている。
【００１２】
この一実施形態では、帯域阻止フィルタまたは高域フィルタが、伝送線路に対して縦続接続されているので、フィルタの遮断特性を急峻にすることができる。または、特定の周波数成分を大きく減衰させることができる。
【００１３】
また、他の実施形態の帯域フィルタ装置は、
上記帯域阻止フィルタまたは高域フィルタを構成する共振器が、セラミックで作製されていることを特徴としている。
【００１４】
この実施形態では、上記帯域阻止フィルタまたは高域フィルタを構成する共振器が、セラミックで作製されているので、小型で低損失の帯域フィルタ装置を提供できる。
【００１５】
また、一実施形態の帯域フィルタ装置は、上記帯域阻止フィルタまたは高域フィルタを構成する共振器は、ＥＨモードを、共振モードとした。
【００１６】
この実施形態では、上記セラミック共振器の共振モードとして、ＥＨモードを用いることによって、ミリ波帯まで適用できる広帯域の超高周波フィルタ装置を実現できる。
【００１７】
また、他の実施形態の帯域フィルタ装置は、上記伝送線路を、非放射性誘電体線路とした。
【００１８】
この実施形態では、上記伝送線路を、非放射性誘電体線路としたことによって、小型で低損失の帯域フィルタ装置を実現できる。
【００１９】
また、一実施形態の帯域フィルタ装置は、この帯域フィルタの共振周波数よりも低域側に表れる不要共振周波数ffc'が、上記伝送線路の遮断周波数ｆcよりも低く設定されている。
【００２０】
この実施形態では、
(不要共振周波数ffc')＜(伝送線路の遮断周波数ｆc)
としたので、伝送線路の遮断効果を利用して、共振器の不要共振を除去することができる。
【００２１】
また、他の実施形態の帯域フィルタ装置は、この帯域フィルタの共振周波数よりも低域側に表れる不要共振周波数ffc'が、上記伝送線路の遮断周波数ｆcよりも低く設定されていて、光速をｃ0とし、上記伝送線路を形成する誘電体材料の比誘電率をεｒとすると、上記伝送線路の高さａと幅ｂとが、次の(１)式の関係を有する。
0003954770.tif 000002
【００２２】
この実施形態では、上記(１)式で示されるように、伝送線路の高さａと幅ｂを設定することによって、伝送線路としてＮＲＤガイド(非放射性誘電体線路)を用いる場合において、伝送線路の遮断効果を用いて共振器の不要共振を除去できる。
【００２３】
また、一実施形態の送信装置は、単一または複数の映像信号に対し、請求項１に記載の帯域フィルタ装置と、上記映像信号をアップコンバートする手段とを備える。
【００２４】
この実施形態では、複数の帯域の信号を多重化してアップコンバートした広帯域伝送に用いることができる送信装置を実現できる。
【００２５】
また、他の実施形態の送受信装置は、単一または複数の映像信号に対し、請求項１に記載の帯域フィルタ装置と、上記映像信号をアップコンバートする手段とを備える。
【００２６】
この実施形態では、複数の帯域の信号を多重化してアップコンバートした広帯域伝送に用いることができる送受信装置を実現できる。
【００２７】
【発明の実施の形態】
以下、この発明を図示の実施の形態により詳細に説明する。
【００２８】
〔第１の参考例〕
図１に、この発明の帯域フィルタ装置の参考例を示す。この参考例では、遮断周波数を有する伝送線路として、ＮＲＤガイド(非放射性誘電体線路)からなる入力線路１ａと出力線路１ｂを採用した。
【００２９】
図１に示すように、この参考例では、導電体基板７ｂ上に、入力線路１ａとモードサプレッサ２ａと多段共振器４と出力用モードサプレッサ２ｂと出力線路１ｂとが略直線状に配置され、これらは、上記導電体基板７ｂとこの基板７ｂに対して所定間隙を隔てて平行に配置されたもう１つの導電体基板７ａとの間に格納されている。
【００３０】
図２に詳細に示すように、上記多段共振器４は、５個の円柱状誘電体共振器４ａ,４ｂ,４ｃ,４ｄ,４ｅからなる。この５個の共振器４ａ〜４ｅは、互いに所定間隙を隔てており、各間隙は、遮断線路６,６,６,６を構成している。また、上記共振器４ａとモードサプレッサ２ａとの間隙および上記共振器４ｅとモードサプレッサ２ｂとの間隙も、遮断線路６,６を構成している。
【００３１】
さらに、上記モードサプレッサ２ａの傍らには、所定間隙を隔てて帯域阻止フィルタ３ａが配置されており、この帯域阻止フィルタ３ａと上記モードサプレッサ２ａとの間隙が、遮断線路５ａを構成している。一方、上記モードサプレッサ２ｂの傍らには、所定間隙を隔てて帯域阻止フィルタ３ｂが配置されており、この帯域阻止フィルタ３ｂと上記モードサプレッサ２ｂとの間隙が、遮断線路５ｂを構成している。
【００３２】
上記帯域阻止フィルタ３ａ,３ｂは、低域遮断特性を急峻にする、もしくは、ある特定の周波数における信号を抑える。また、遮断線路５ａは、入力線路１ａと帯域阻止フィルタ３ａとの結合量を調節し、遮断線路５ｂは、出力線路１ｂと帯域阻止フィルタ３ｂとの結合量を調節する。
【００３３】
上記各共振器４ａ〜４ｅは、図４に示すように、セラミック円柱９ａと、このセラミック円柱９ａを軸方向の両側から挟むテフロン円柱９ｂと９ｃとで構成される中軸体９０と、この中軸体９０が挿入されるテフロン製の管９ｄからなる。このテフロン製の管９ｄは、これら円柱９ａ,９ｂ,９ｃの軸芯ずれを防止すると共に、気密性を高める役割を果す。上記セラミック円柱９ａは、低損失セラミック材料で作製されており、上記テフロン円柱９ｂ,９ｃはセラミック円柱９ａと同一の直径と高さを有する。この第１実施形態では、上記中軸体９０の高さを、上記導電体基板７ａと７ｂとの間隙寸法と同一もしくは０.９％増しの寸法に設定した。
【００３４】
また、この参考例では、上記ＮＲＤガイドからなり、伝送線路をなす入力線路１ａおよび出力線路１ｂの高さａと幅ｂと、この伝送線路の遮断周波数ｆｃとは、次の関係式(１)で規定される。
0003954770.tif 000003
この式(１)において、ｃ0は光速、εｒは上記伝送線路を構成する材料の比誘電率である。
【００３５】
この参考例では、この式(１)で算出される入,出力線路(伝送線路)１ａ,１ｂの遮断周波数ｆｃが、この参考例の帯域フィルタの共振周波数よりも低域側に現れる不要共振周波数ｆｆｃ'よりも高くなるように、上記ＮＲＤガイドの材料や形状(高さａ,幅ｂ,比誘電率εｒ)を設定した。これにより、不要共振を除去できる。
【００３６】
次に、上記多段共振器４を構成する共振器４ａ〜４ｅにおける共振モードを説明する。この参考例では、図５(Ｂ)に示すように、ＨＥモードの共振電磁界となる。このＨＥモードでは、セラミック円柱９ａを縦,横に貫通する電気力線１０,磁力線１１が存在する。なお、この発明では、図５(Ｂ)に示すＨＥモードに替えて、図５(Ｃ)に示すＥＨモードを採用してもよい。このＥＨモードでは、電気力線１０は、セラミック円柱９ａの断面において対向する両端部分で略環状に存在し、磁力線１１は、上記両端部分の間を一端から他端に向って延びる複数の磁力線となる。なお、図５(Ａ)に示す分布は、従来例における電気力線１０と磁力線１１の分布であり、電気力線１０は、セラミック円柱９ａの断面において環状に分布し、磁力線１１は上記断面において縦横に延在している。なお、上述の各モードは、周方向,半径方向,高さ方向への分布に応じてさらに細分化され、このようなモード次数は、このモード名の後に、周方向,半径方向,高さ方向の順にそれぞれ添え字で記述される。
【００３７】
ところで、従来例で採用されていた最も低損失なＴＥ0nδモードでは、動作周波数が数ＧＨｚ以上になると、電磁界の集中が良いことに起因して、線路と共振器との負荷Ｑが低くとれなくなっていた。また、共振器間の結合係数も同様の理由で高くとれなくなり、その結果、ミリ波帯での利用を想定したＴＥ0nδモード超高周波平面帯域フィルタでは、数ＧＨｚを越える帯域を有するものは実現が困難となっていた。
【００３８】
これに対し、本発明の実施形態では、ＴＥ0nδモードよりも電磁界の集中度の弱いＥＨnmδモードを利用することによって、帯域幅の広い超高周波平面型帯域フィルタを実現できた。
【００３９】
〔第２の参考例〕
次に、図３に、この発明の帯域フィルタ装置の第２の参考例を示す。この第２参考例は、第１の参考例の帯域阻止フィルタ３ａ,３ｂに代えて、入出力線路１ａ,１ｂの先端に、高域フィルタ８ａ,８ｂを形成した点だけが、前述の第１の参考例と異なる。
【００４０】
この高域フィルタ８ａ,８ｂは、入出力線路１ａ,１ｂの幅ｂよりも小さな幅を有している。また、高域フィルタ８ａ,８ｂは、入出力線路１ａ,１ｂの高さａと同じ高さを有している。
【００４１】
この第２の参考例では、高域フィルタ８ａ,８ｂによって、第１の参考例に比べて、低域側の遮断周波数特性を急峻にできる。また、この高域フィルタ８ａ,８ｂの特性を、特定の周波数の信号を遮断するように設計することで、特性周波数の信号を除去することができる。この場合、高域フィルタ８ａ,８ｂを形成する入出力線路１ａ,１ｂの幅ｂは、前述の式(１)で算出される。
【００４２】
次に、図６(Ａ),(Ｂ),(Ｃ)に、帯域フィルタ装置の構成例を示す。図６(Ａ)は、前述の第１の参考例の構成に相当し、伝送線路１ａと１ｂとの間に、帯域阻止フィルタ１４と帯域通過フィルタ１３と帯域阻止フィルタ１４とが縦続接続されている。また、図６(Ｃ)は、前述の第２参考例の構成に相当し、伝送線路１ａと１ｂとの間に、高域通過フィルタ１２ａと帯域通過フィルタ１３と高域通過フィルタ１２ａとが縦続接続されている。さらに、図６(Ｂ)に示すように、伝送線路１ａと１ｂとの間に、帯域阻止フィルタ１４と帯域通過フィルタ１３とを並列接続した構成としてもよい。
【００４３】
【実施例】
次に、上記第１参考例の具体的な実施例として、フィルタの動作周波数を６０ＧＨｚとし、共振モードを、ＥＨ11δモードとした本発明の実施形態となる帯域フィルタ装置の構成を説明する。この実施例では、多段共振器４を構成する共振器４ａ〜４ｅとして、比誘電率εｒが２１のセラミック円柱９ａを用い、その直径を２ｍｍとし、高さを０.３３ｍｍとした。また、テフロン円柱９ｂ,９ｃの直径を２ｍｍとし、高さを０.９６ｍｍとした。また、テフロン管９ｄの内径を２.０ｍｍとし外径を２.２ｍｍとした。
【００４４】
そして、平行導体板７ａと７ｂとの間隙は、２.２５ｍｍとし、ＮＲＤガイドを構成する入,出力線路１ａ,１ｂはテフロンで作製し、その高さを２.２５ｍｍとし、幅を２.５ｍｍとした。
【００４５】
図７に、共振器間の間隙を横軸とし、負荷Ｑを縦軸とした負荷Ｑ特性図を示す。この実施例では、図７に、ＥＨモード共振器の特性で示すように、従来のＴＥモード共振器に比べて、負荷Ｑを低減できた。また、図８に、共振器間の間隔を横軸とし、結合係数を縦軸とした特性図を示す。図８に、ＥＨモードの特性で示すように、従来のＴＥモードに比べて、セラミック共振器間の結合係数を十分に大きくとれることが判明した。
【００４６】
すなわち、このＥＨ11δモード共振器を用いた実施例によれば、従来のＴＥ02δモード共振器を用いた帯域フィルタに比べて、帯域幅の広い超高周波平面型帯域フィルタを実現できた。
【００４７】
なお、ＥＨnmδモードやＨＥnmδモードでは、ＴＥ0nδモードに比べて、共振器の損失が多少大きく、その結果、フィルタの挿入損失が増加することが懸念されたが、フィルタの帯域幅とその挿入損失とは反比例の関係にあるので、帯域の広いフィルタを設計する限り、本発明のフィルタで損失が増加する問題は回避できる。
【００４８】
次に、上記ＥＨ11δモード共振器を５段用いたＮＲＤガイド超高周波平面型帯域フィルタの周波数特性を、図９に示す。図９を参照すれば分かるように、帯域幅２.５ＧＨｚと広帯域な性能が得られた。また、挿入損失は、帯域内で１ｄＢ以下と小さい。また、図１０に、上記帯域フィルタに、中心周波数が５８.９６６ＧＨｚの帯域阻止フィルタを縦続接続した帯域フィルタ装置の周波数特性を示す。この帯域フィルタ装置は、５９.９５９ＧＨｚを中心として、１.８０５ＧＨｚの帯域幅を有し、５８.９６６ＧＨｚ以下の周波数帯で大きな減衰を達成した。本フィルタ装置の特性は、ＶＨＦ,ＵＨＦ,ＢＳ,ＣＳテレビ信号、あるいは、ＣＡＴＶ信号をミリ波帯にアップコンバートする多重映像伝送超高周波送信機およびトランシーバに適用できる水準にある。
【００４９】
尚、上記第１,第２参考例では、入出力線路１ａ,１ｂをＮＲＤガイドで構成した。
【００５０】
また、上記参考例では、伝送線路１ａ,１ｂと共振器４間に、遮断線路５ａ,５ｂを形成し、共振器４ａ,４ｂ,４ｃ,４ｄ,４ｅ間に遮断線路６,６,６,６,６,６を形成したが、この遮断線路は、遮断周波数が極めて高い状態のものであれば良い。たとえば、空隙の他に、極めて幅の薄い誘電体片を用いることができる。
【００５１】
【発明の効果】
以上より明らかなように、この発明の帯域フィルタ装置は、遮断周波数を有する非放射性誘電体伝送線路と、この非放射性誘電体伝送線路の先端に設けられたモードサプレッサと、帯域阻止フィルタまたは高域フィルタと、複数の共振器から成る多段共振器と、上記複数の共振器を互いに隔てている遮断線路とを備え、上記多段共振器を成す複数の共振器を、ＥＨ１１δモードを共振モードとする共振器とした。この発明では、上記伝送線路の遮断周波数と、上記帯域阻止フィルタまたは高域フィルタの特性との相互関係を、上記遮断線路を用いて調整することができる。その結果、上記帯域阻止フィルタや高域フィルタを構成する共振器の不要モードや遮断周波数近傍の不要波を除去することができ、その通過帯域を数ＧＨｚの広帯域にまで設定できる。
【００５２】
また、一実施形態の帯域フィルタ装置は、上記帯域阻止フィルタまたは高域フィルタは、上記伝送線路に対して縦続接続されているので、フィルタの遮断特性を急峻にすることができる。または、特定の周波数成分を大きく減衰させることができる。
【００５３】
また、他の実施形態では、上記帯域阻止フィルタまたは高域フィルタを構成する共振器が、セラミックで作製されているので、小型で低損失の帯域フィルタ装置を提供できる。
【００５４】
また、一実施形態は、上記帯域阻止フィルタまたは高域フィルタを構成する上記セラミック共振器の共振モードとして、ＥＨnmδモードを用いることによって、ミリ波帯まで適用できる広帯域の超高周波フィルタ装置を実現できる。
【００５５】
また、他の実施形態の帯域フィルタ装置は、上記伝送線路を、非放射性誘電体線路としたことによって、小型で低損失の帯域フィルタ装置を実現できる。
【００５６】
また、一実施形態は、(不要共振周波数ffc')＜(伝送線路の遮断周波数ｆc)としたので、伝送線路の遮断効果を利用して、共振器の不要共振を除去することができる。
【００５７】
また、他の実施形態の帯域フィルタ装置は、この帯域フィルタの共振周波数よりも低域側に表れる不要共振周波数ffc'が、上記伝送線路の遮断周波数ｆcよりも低く設定されていて、光速をｃ0とし、上記伝送線路を形成する誘電体材料の比誘電率をεｒとすると、上記伝送線路の高さａと幅ｂとが、次の(１)式の関係を有する。
0003954770.tif 000004
この実施形態では、上記(１)式で示されるように、伝送線路の高さａと幅ｂを設定することによって、伝送線路としてＮＲＤガイド(非放射性誘電体線路)を用いる場合において、伝送線路の遮断効果を用いて共振器の不要共振を除去できる。
【００５８】
また、一実施形態の送信装置は、単一または複数の映像信号に対し、この発明の帯域フィルタ装置と、上記映像信号をアップコンバートする手段とを備えるので、複数の帯域の信号を多重化してアップコンバートした広帯域伝送に用いることができる。
【００５９】
また、他の実施形態の送受信装置は、単一または複数の映像信号に対し、この発明の帯域フィルタ装置と、上記映像信号をアップコンバートする手段とを備えるので、複数の帯域の信号を多重化してアップコンバートした広帯域伝送に用いることができる送受信装置を実現できる。
【図面の簡単な説明】
【図１】  この発明の帯域フィルタの第１参考例の構成を示す斜視図である。
【図２】  上記第１参考例の要部拡大図である。
【図３】  この発明の帯域フィルタの第２参考例の構成を示す斜視図である。
【図４】  上記第１,第２参考例で用いられる多段共振器４を構成する共振器の構造を説明する模式図である。
【図５】  図５(Ａ)は従来の帯域フィルタ装置で採用されるＴＥモードでの電磁界分布を示す図であり、図５(Ｂ)は本発明の上記参考例で採用されるＨＥモードでの電磁界分布を示す図であり、図５(Ｃ)は本発明で採用されるＥＨモードでの電磁界分布を示す図である。
【図６】  図６(Ａ)は、本発明の第１参考例で採用された構成を示すブロック図であり、図６(Ｂ)は、本発明で採用できる他の構成を示すブロック図であり、図６(Ｃ)は、本発明の第２参考例で採用された構成を示すブロック図である。
【図７】  本発明の実施形態(ＥＨモード共振器)と従来例(ＴＥモード共振器)における負荷Ｑ特性図である。
【図８】  本発明の実施形態(ＥＨモード共振器)と従来例(ＴＥモード共振器)における結合係数特性図である。
【図９】  本発明の実施例であるＥＨ11δモード共振器を５段用いたＮＲＤガイド超高周波平面型帯域フィルタの周波数帯域特性図である。
【図１０】  本発明の上記実施例の帯域フィルタに、帯域阻止フィルタを縦続接続した帯域フィルタ装置の周波数特性を示す。
【符号の説明】
１ａ…入力線路、１ｂ…出力線路、２ａ,２ｂ…モードサプレッサ、
３ａ,３ｂ…帯域阻止フィルタ、４…多段共振器、
４ａ〜４ｅ…円柱状誘電体共振器、５ａ,５ｂ…遮断線路、
６…遮断線路、７ａ,７ｂ…導電体基板、８ａ,８ｂ…高域フィルタ、
９ａ…セラミック円柱、９ｂ,９ｃ…テフロン円柱、９ｄ…テフロン製の管、
１０…電気力線、１１…磁力線、１３…帯域通過フィルタ、
１４…帯域阻止フィルタ。
【図１】
0003954770.tif 000006
【図２】
0003954770.tif 000007
【図３】
0003954770.tif 000008
【図４】
0003954770.tif 000009
【図５】
0003954770.tif 000010
【図６】
0003954770.tif 000011
【図７】
0003954770.tif 000012
【図８】
0003954770.tif 000013
【図９】
0003954770.tif 000014
【図１０】
0003954770.tif 000015